(57)【要約】【課題】容易に高度情報を考慮した気圧データを取得することが出来る気圧測定装置を提供する。【解決手段】間欠的に気圧を測定する気圧測定手段と、気圧が測定された位置における高度データをＧＰＳ測位装置から受信する受信手段と、気圧測定手段により測定された気圧の値を、受信手段で受信された高度データに基づいて所定の高度における気圧の値に補正した補正気圧データを取得する補正手段とを備える。【選択図】図８
2013072668.tif 000002
【特許請求の範囲】
【請求項１】
間欠的に気圧を測定する気圧測定手段と、
前記気圧の測定位置における高度データをＧＰＳ測位装置から受信する受信手段と、
前記気圧測定手段により測定された気圧の値を、前記受信手段で受信された高度データに基づいて所定の高度における気圧の値に補正した補正気圧データを取得する補正手段と
を備えることを特徴とする気圧測定装置。
【請求項２】
前記補正手段により取得された補正気圧データを複数記憶する記憶手段と、
この記憶手段に記憶された補正気圧データに基づいて天気予報を行う天気予報手段と、
この天気予報手段による天気予報を表示する表示手段と
を備えることを特徴とする請求項１に記載の気圧測定装置。
【請求項３】
前記補正手段により取得された補正気圧データを複数記憶する記憶手段と、
この記憶手段に記憶された補正気圧データの全部又は一部をグラフ表示する表示手段と
を備えることを特徴とする請求項１又は２に記載の気圧測定装置。
【請求項４】
前記補正手段は、海水面高度における補正気圧データを取得する
ことを特徴とする請求項１〜３の何れか一項に記載の気圧測定装置。
【請求項５】
前記補正手段は、所定のモデルに基づいて前記受信手段により受信された高度データが示す高度におけるモデル大気圧を算出し、当該モデルに基づく当該高度の大気圧及び海水面大気圧と、前記気圧測定手段により測定された気圧の値とに基づいて補正気圧データを取得する
ことを特徴とする請求項１〜４の何れか一項に記載の気圧測定装置。
【請求項６】
前記所定のモデルに基づき所定の高度間隔で求められたモデル大気圧が記憶された補正テーブルを備え、
前記補正手段は、前記受信手段により受信された高度データが示す高度におけるモデル大気圧を、前記補正テーブルに記憶された隣接する２つの高度におけるモデル大気圧を用いた線形補間により算出する
ことを特徴とする請求項５に記載の気圧測定装置。
【請求項７】
前記気圧測定手段は、毎正時に気圧データを取得する
ことを特徴とする請求項１〜６の何れか一項に記載の気圧測定装置。
【請求項８】
前記記憶手段は、現在時刻の所定時間前までに計測された気圧に基づく補正気圧データを記憶する
ことを特徴とする請求項２に記載の気圧測定装置。
【請求項９】
前記天気予報手段は、直近に取得された補正気圧データに係る大気圧と、前記記憶手段に記憶された全ての補正気圧データに係る大気圧の平均値とのずれに基づいて天気の回復傾向又は悪化傾向を判断する
ことを特徴とする請求項２又は８に記載の気圧測定装置。
【発明の詳細な説明】
【技術分野】
【０００１】
この発明は、高度方向への移動を考慮した気圧値を取得する気圧測定装置に関する。
【背景技術】
【０００２】
従来、気圧を測定する機能を備えた携帯型電子装置がある。この携帯型電子装置は、測定した気圧を表示したり、気圧の時間変化をグラフとして表示したりする機能を備えている。
【０００３】
また、このような携帯型電子装置の中には、気圧そのものの表示だけではなく、以前より、気圧の時間変化に基づいて天気の変化を予測して表示する機能を備えたものがある。このような携帯型電子装置において気圧の時間変化を取得する場合に、位置変化、特に、高度方向の変化に伴う気圧変化の影響が含まれていると、正確に気圧の時間変化を求めることが出来ない。そこで、従来、このような高度変化の気圧への影響を取り除くために、スイッチを用いて手動で入力された高度データに基づいて、計測された大気圧を海抜０ｍの値に補正して気圧の時間変化を取得していた（例えば、特許文献１）。
【先行技術文献】
【特許文献】
【０００４】
【特許文献１】実用新案登録第２５６３０５５号公報
【発明の概要】
【発明が解決しようとする課題】
【０００５】
しかしながら、ユーザが移動中に毎回変化する高度データを入力するのは、非常に手間がかかる。また、高度の測定又は入力を怠ると、測定された気圧から高度変化の成分を補正することができず、気圧の時間変化を正確に見積もれなくなるという課題がある。
【０００６】
この発明の目的は、容易に高度情報を考慮した気圧データを取得することが出来る気圧測定装置を提供することにある。
【課題を解決するための手段】
【０００７】
本発明は、上記目的を達成するため、
間欠的に気圧を測定する気圧測定手段と、
前記気圧の測定位置における高度データをＧＰＳ測位装置から受信する受信手段と、
前記気圧測定手段により測定された気圧の値を、前記受信手段で受信された高度データに基づいて所定の高度における気圧の値に補正した補正気圧データを取得する補正手段と
を備えることを特徴とする気圧測定装置である。
【発明の効果】
【０００８】
本発明に従うと、容易に高度情報を考慮した気圧データを取得することが出来るという効果がある。
【図面の簡単な説明】
【０００９】
【図１】本発明の気圧測定装置の実施形態である電子時計を含む気圧表示システムの全体構成を示す図である。
【図２】電子時計の内部構成を示すブロック図である。
【図３】スマートフォンの内部構成を示すブロック図である。
【図４】電子時計の表示部を説明する図である。
【図５】表示部に表示可能な天気予報の例を示す図である。
【図６】気圧補正テーブルの例を示す図表である。
【図７】気圧補正値算出処理の制御手順を示すフローチャートである。
【図８】天気予報処理の制御手順を示すフローチャートである。
【図９】気圧変化表示処理の制御手順を示すフローチャートである。
【発明を実施するための形態】
【００１０】
以下、本発明の実施の形態を図面に基づいて説明する。
［第１実施形態］
図１は、本発明の第１実施形態の気圧表示システムの全体構成図である。
【００１１】
本実施形態の気圧表示システム１は、気圧測定装置としての電子時計４０と、ＧＰＳ測位装置としてのスマートフォン１０とにより構成される。この電子時計４０は、時計本体と、バンドとを備え、腕装着が可能な腕時計型のものである。電子時計４０及びスマートフォン１０は、何れも近距離無線通信機能を備えており、例えば、ブルートゥース通信（登録商標：Bluetooth）による相互通信が可能となっている。
【００１２】
図２は、電子時計４０の内部構成を示すブロック図である。また、図３は、スマートフォン１０の内部構成を示すブロック図である。
【００１３】
電子時計４０は、図２に示すように、ＣＰＵ（Central Processing Unit）４１（補正手段、天気予報手段）と、ＲＯＭ（Read Only Memory）４２と、ＲＡＭ（Random Access Memory）４３と、操作部４４と、計時回路４５と、表示部４６（表示手段）及び表示部４６を駆動制御するドライバ４７と、アンテナＡＮ４と、Bluetoothモジュール４８（受信手段）及びＵＡＲＴ（Universal Asynchronous Receiver Transmitter）４９と、振動モータ５０及びそのドライバ５１と、ＬＥＤ（発光ダイオード）５２及びそのドライバ５３と、ピエゾ素子５４及びそのドライバ５５と、圧力センサ５６（気圧測定手段）及びＡ／Ｄ変換回路５７と、ＣＰＵ４１と各部との間で信号のやり取りをするバス５８などを備えている。
【００１４】
ＣＰＵ４１は、電子時計４０の全体動作の統轄制御及び各種演算処理を行う。ＣＰＵ４１は、計時回路４５の計数する現在時刻に基づいて表示部４６に時刻表示を行わせる。また、ＣＰＵ４１は、Bluetoothモジュール４８を介してスマートフォン１０から取得された高度データに基づいて圧力センサ５６により取得された気圧を補正し、この補正された気圧の変化により得られた天気予報や気圧の時間変化グラフを表示部４６に表示させる。
【００１５】
ＲＯＭ４２は、ＣＰＵ４１が実行する種々のプログラムや初期設定データを格納する。ＲＯＭ４２の格納するデータには、気圧補正プログラム４２１と、天気予報プログラム４２２と、モデル大気圧テーブル４２３とが含まれる。ＣＰＵ４１が天気予報プログラム４２２を実行することで、電子時計４０において必要なデータの取得や演算が行われて天気を予報し、この天気予報結果の表示が行われる。
【００１６】
ＲＡＭ４３は、ＣＰＵ４１に作業用のメモリ空間を提供する。またＲＡＭ４３は、気圧履歴記憶部４３１（記憶手段）を備え、所定の期間内に算出された気圧データを時刻データと対応付けて記憶する。
【００１７】
操作部４４は、１又は複数のボタンスイッチを備え、ユーザが当該スイッチに対して行った操作に基づいて入力信号に変換して、ＣＰＵ１１に出力する。或いは、この操作部４４は、タッチパネルであっても良い。
【００１８】
計時回路４５は、現在時刻を計数して保持するカウンタである。この現在時刻が読み出されて、表示部４６に表示されたり、当該現在時刻データと各種機能に係る設定時刻データと比較されて種々の動作が行われたりする。
【００１９】
表示部４６は、例えば、セグメント表示方式のＬＣＤ（液晶ディスプレイ）である。ＣＰＵ４１から送られた制御信号によりドライバ４７（液晶ドライバ）が動作し、ＬＣＤを駆動して現在時刻、設定状態、或いは、各種機能のメニューなどの指定された内容に関する表示を行わせる。この表示部４６は、或いは、他の表示手段、例えば、有機ＥＬＤ（Electro-Luminescent Display）であっても良く、ドライバ４７は、表示部４６の種類によって適宜選択される。
【００２０】
Bluetoothモジュール４８は、アンテナＡＮ４を介して外部機器との間でブルートゥース通信を行うための制御モジュールである。ＣＰＵ４１から送られた送信データは、ＵＡＲＴ４９でシリアル／パラレル変換などの処理が行われて、Bluetoothモジュール４８から外部機器に送信される。また、外部機器からBluetoothモジュール４８を用いて受信された受信データは、ＵＡＲＴ４９でシリアル／パラレル変換などの処理が行われて、ＣＰＵ４１へ出力される。
【００２１】
振動モータ５０、ＬＥＤ（発光ダイオード）５２、及び、ピエゾ素子（ＰＺＴ）５４は、振動、光、及び、ブザー音を発することでユーザに通知を行うためのものである。ＣＰＵ４１からドライバ５１、５３、５５にそれぞれ制御信号が送られると、ドライバ５１、５３、５５は、それぞれ、振動モータ５０、ＬＥＤ５２、ピエゾ素子５４を動作させるのに必要な電圧信号に変換して出力する。
【００２２】
スマートフォン１０は、図３に示すように、ＣＰＵ１１と、ＲＯＭ１２と、ＲＡＭ１３と、記憶部１４と、操作部１５と、内蔵時計１６と、表示部１７及びそのドライバ１８と、スピーカ１９と、マイク２０と、コーデック２１と、ＲＦ送受信回路２２と、ＲＦ送受信用のアンテナＡＮ１１と、通信回路２３と、Bluetoothモジュール２４と、ＵＡＲＴ２５と、Bluetooth通信の送受信用アンテナＡＮ１２と、ＧＰＳデータ受信処理部２６と、ＧＰＳデータの受信用アンテナＡＮ１３と、ＣＰＵ１１と各部とを接続するバス２７などを備えている。
【００２３】
ＣＰＵ１１は、スマートフォン１０の全体動作の統轄制御及び各種演算処理を行う。また、ＣＰＵ１１は、操作部１５への入力操作による設定情報に基づいてBluetoothモジュール２４に制御信号を送り、電子時計４０に対してＧＰＳ測位情報（高度データ）を送信させる。
【００２４】
ＲＯＭ１２は、ＣＰＵ１１が実行する種々のプログラムや初期設定データを格納する。また、ＲＡＭ１３は、ＣＰＵ１１に作業用のメモリ空間を提供し、作業用の一時データを記憶する。
【００２５】
記憶部１４は、不揮発性の読み書き可能なメモリであり、例えば、フラッシュメモリやＥＥＰＲＯＭ（Electrically Erasable and Programmable Read Only Memory）である。この記憶部１４には、例えば、スマートフォン１０で実行する種々のアプリケーションプログラムや、各種機能に係る保存データや設定データが記憶される。
【００２６】
操作部１５は、タッチパネルの操作入力を検知し、表示部１７に表示されたメニューに基づいてユーザにより接触入力された操作内容を電気信号に変換し、入力信号としてＣＰＵ１１に出力する。或いは、この操作部１５は、複数の操作キーを備え、ユーザが当該キーに対して行った操作に基づいて電気信号に変換した入力信号をＣＰＵ１１に出力する構成を含むこととしても良い。
【００２７】
内蔵時計１６は、現在時刻を計数して保持するカウンタである。この現在時刻が読み出されて、表示部１７に表示される。また、当該現在時刻データと各種機能に係る設定時刻データとが比較されて種々の動作が行われる。この内蔵時計１６の現在時刻データは、ＲＦ送受信回路２２による携帯基地局との通信時に随時修正される。
【００２８】
表示部１７は、例えば、ＬＣＤ（液晶ディスプレイ）である。ＣＰＵ１１から送られた制御信号によりドライバ１８（液晶ドライバ）が動作し、ＬＣＤを駆動してスマートフォン１０の各種機能に係る表示を行わせる。この表示部１７は、他の方式によるもの、例えば、有機ＥＬＤ（Electro-Luminescent Display）であっても良く、ドライバ１８は、表示方式により適宜選択される。また、この表示部１７は、タッチパネルとしてユーザに入力操作を行わせるためのメニュー表示を行う。
【００２９】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。なお、通話用のスピーカと音声を外部に出力するためのスピーカを別個に備えることとしてもよい。
【００３０】
ＲＦ送受信回路２２は、ＲＦ送受信用アンテナＡＮ１１を用いて携帯基地局との間で行われる電話通信やメールなどのパケット通信の送受信処理を行う。また、通信回路２３は、ＲＦ送受信回路２２により送受信される送受信データの各種処理を行い、ＣＰＵ１１やコーデック２１との間でデータの受け渡しを行う。
【００３１】
Bluetoothモジュール２４は、アンテナＡＮ１２を介して電子時計４０などの他の電子機器とBluetooth通信を行うための制御モジュールである。ＣＰＵ１１から送られた送信データは、ＵＡＲＴ２５でシリアル／パラレル変換などの処理が行われて、Bluetoothモジュール２４から他の電子機器に送信される。また、他の電子機器からBluetoothモジュール２４を用いて受信された受信データは、ＵＡＲＴ２５でパラレル／シリアル変換などの処理が行われて、ＣＰＵ１１へ出力される。
【００３２】
ＧＰＳデータ受信処理部２６は、アンテナＡＮ１３を介してＧＰＳ測位衛星から受信した衛星信号を復調、解読し、時刻データや位置データに換算して所定のフォーマットでＣＰＵ１１に出力する。出力の所定のフォーマットとしては、例えば、ＮＭＥＡ（National Marine Electronics Association）−０１８３が用いられる。
【００３３】
図４は、電子時計４０の表示部４６のセグメントによる表示パターンを示す図である。また、図５は、表示部４６の第２表示部４６２に表示される天気図形の例を示す図である。
【００３４】
この表示部４６の表示画面４６ａでは、セグメント方式による表示が行われる。図４に示すように、表示部４６の表示画面４６ａには、時刻などの数字及び文字を表示する第１表示部４６１及び天気予報に係る予め設定された種類の記号や図形を表示させる第２表示部４６２が設けられている。第２表示部４６２には、図５に示すように、各セグメントの点灯又は消灯を適宜制御することによって、（ａ）晴れ（天気が良い）、（ｂ）晴れ曇り（天気が回復する）、（ｃ）雨曇り（天気がぐずつく）、及び、（ｄ）雨（天気が悪くなる）といった各天気予報を表示させることが出来る。
【００３５】
次に、本実施形態の気圧測定装置としての電子時計４０における気圧補正処理について説明する。
【００３６】
大気圧は、大気にかかる重力による圧力であり、大気圧を測定する地点より上部に存在する大気の質量を積分したものになる。この大気圧の鉛直方向の圧力分布は、大気が近似的に静止している（静水圧平衡）と考え、鉛直方向の運動方程式及び気体の状態方程式などにより高度ｚに対する大気圧Ｐの変化を表す数式が求められる。
【００３７】
例えば、大気圧の高度分布のモデルの１つとして、次の数式（１）で表される。
Ｐ＝Ｐ０ｅｘｐ（−ｍｇ／（ｋＴ）（ｚ−ｚ０））  ・・・（１）
ここで、気温Ｔ［℃］は、標準大気のモデルを用いて、対流圏において、以下の数式（２）で表されるものとする。
Ｔ＝１５．０−０．００６５ｚ  ・・・（２）
また、地表における重力加速度ｇ、大気１分子当たりの平均質量ｍ、及び、ボルツマン定数ｋは、それぞれ定数である。
【００３８】
また、高度の係数ｚ０を０とする。即ち、高度ｚは、平均海水面からの高度（海抜）と等しくなる。このとき、大気圧の係数Ｐ０は、海抜高度ｚ＝０（海水面高度）での大気圧を表す。従って、ＧＰＳデータ受信処理部２６で取得された高度ｚと、圧力センサ５６で計測された大気圧Ｐとを用いて係数Ｐ０、即ち、海抜０ｍでの大気圧を算出することが出来る。
【００３９】
このような大気圧の高度分布は、より精度の高いモデルが種々の機関により策定されている。本実施形態の気圧測定装置としての電子時計４０では、数式（１）における指数関数の計算を行う代わりに、何れかのモデルに基づく大気圧を所定の高度差毎に予め取得してテーブルに保持しておき、これらの気圧値を用いて線形補間を行うことで計測された高度と海水面高度との間での気圧差を算出し、気圧計測値の補正を行う。この近似に用いられる各値を示すテーブルは、モデル大気圧テーブル４２３としてＲＯＭ４２に予め格納されている。或いは、この補正用テーブルは、気圧補正プログラム４２１内に保持されていることとしても良い。
【００４０】
図６は、標準大気の高度差に伴う気圧変化を示す図表である。
【００４１】
国際標準大気（ＩＳＯ２５３３：１９７５）では、海水面高度での大気圧Ｐ０が１０１３．３ｈＰａに設定されており、２００ｍごとのモデル大気圧と、当該２００ｍごとの各区間における大気圧の平均変化率とが、高度データと対応付けて示されている。即ち、高度２００ｍにおける標準大気の気圧は、９８９．５ｈＰａであり、高度０ｍ〜２００ｍの区間における大気圧の平均変化率は、両端（０ｍ及び２００ｍ）における大気圧の差に基づいて０．１１９ｈＰａ／ｍであることが示されている。同様に、４００ｍや６００ｍといった各高度におけるモデル大気圧とその平均変化率が、数式（１）で示したように指数関数的に低下していくことが示されている。
【００４２】
図７は、ＣＰＵ４１により実行される気圧補正値算出処理の制御手順を示すフローチャートである。
【００４３】
この気圧補正値算出処理は、気圧計測値ＰＡと、この気圧計測値ＰＡが取得された位置の高度値Ｈとが取得された後に呼び出される。
【００４４】
気圧補正値算出処理が開始されると、ＣＰＵ４１は、高度値Ｈが含まれる区間における気圧変化率ｄＰを取得する（ステップＳ１７１）。次いで、ＣＰＵ４１は、この高度値Ｈが含まれる区間の下限高度ＨＬにおける気圧値ＰＬを取得する（ステップＳ１７２）。そして、ＣＰＵ４１は、気圧補正値Ｙを算出する（ステップＳ１７３）。具体的には、ＣＰＵ４１は、気圧値ＰＬと海水面高度での標準大気圧１０１３．３ｈＰａとの差と、下限高度ＨＬと高度値Ｈとの差（Ｈ−ＨＬ）と気圧変化率ｄＰとに基づいて、以下の数式（３）により気圧補正値Ｙを算出する。
Ｙ  ＝  （１０１３．３−ＰＬ）  ＋（Ｈ−ＨＬ）×ｄＰ  …（３）
そして、ＣＰＵ４１は、気圧補正値算出処理を終了する。
【００４５】
図８は、本実施形態の気圧測定装置としての電子時計４０のＣＰＵ４１により実行される天気予報処理の制御手順を示すフローチャートである。
【００４６】
この天気予報処理は、毎正時に自動的に呼び出されて行われる処理である。
【００４７】
天気予報処理が開始されると、ＣＰＵ４１は、先ず、圧力センサ５６からＡ／Ｄ変換回路５７を介して入力される気圧計測値ＰＡを取得する（ステップＳ１１）。次に、ＣＰＵ４１は、Bluetoothによりスマートフォン１０との間で通信リンクが確立されているか否かを判別する（ステップＳ１２）。Bluetoothによる通信リンクが確立されていると判別された場合には、ＣＰＵ４１の処理は、そのままステップＳ１５に移行する。Bluetoothによる通信リンクが確立されていないと判別された場合には、ＣＰＵ４１は、スマートフォン１０とのBluetooth通信のリンクを確立するリンク処理を行う（ステップＳ１３）。そして、ＣＰＵ４１は、リンクの確立に成功したか否かを判別する（ステップＳ１４）。リンクの確立に成功していないと判別された場合には、ＣＰＵ４１の処理は、ステップＳ２０に移行する。リンクの確立に成功したと判別された場合には、ＣＰＵ４１の処理は、ステップＳ１５に移行する。
【００４８】
ＣＰＵ４１の処理がステップＳ１５に移行すると、ＣＰＵ４１は、スマートフォン１０にＧＰＳ測位による高度データの送信を要求する。そして、ＣＰＵ４１は、スマートフォン１０からのデータ送信を待って待機する。ＣＰＵ４１は、スマートフォン１０からＧＰＳ測位により取得された高度値Ｈが受信したか否かを判別する（ステップＳ１６）。高度値Ｈが受信されていないと判別された場合には、ＣＰＵ４１は、高度データの送信を要求してから所定時間が経過したか否かを判別する（ステップＳ１７）。所定時間が経過していないと判別された場合には、ＣＰＵ４１は、処理ステップをステップＳ１６に戻して高度値Ｈのデータ受信待ちを続ける。一方、所定時間が経過したと判別された場合には、ＣＰＵ４１は、高度データの取得が不可であると判断して、処理をステップＳ２０に進める。そして、ステップＳ２０の処理では、ＣＰＵ４１は、前回の天気予報処理が行われた際に算出された気圧補正値Ｙを気圧履歴記憶部４３１から読み出す。そして、ＣＰＵ４１の処理は、ステップＳ２１の処理に移行する。
【００４９】
ステップＳ１６の処理で高度値Ｈがスマートフォン１０から受信されたと判別された場合には、ＣＰＵ４１は、上述した気圧補正値算出処理を呼び出して実行する（ステップＳ１８）。また、ＣＰＵ４１は、算出された気圧補正値Ｙを取得し、気圧履歴記憶部４３１に記憶させる（ステップＳ１９）。それから、ＣＰＵ４１の処理は、ステップＳ２１に移行する。
【００５０】
ステップＳ２１の処理では、ＣＰＵ４１は、取得された気圧補正値ＹをステップＳ１１の処理で取得された気圧計測値ＰＡに加算することで補正気圧値ＰＢを算出する。それから、ＣＰＵ４１は、２４時間分の補正気圧値ＰＢを気圧履歴記憶部４３１に記憶させる（ステップＳ２２）。即ち、今回取得された補正気圧値ＰＢを気圧履歴記憶部４３１に追加記憶させると共に、２４時間以上前に取得された補正気圧値ＰＢを消去する。ＣＰＵ４１は、気圧履歴記憶部４３１に記憶された２４時間分の補正気圧値ＰＢの平均値Ｐａｖを算出する（ステップＳ２３）。それから、ＣＰＵ４１は、今回取得された補正気圧値ＰＢの平均値ＰａｖからのずれΔＰ＝ＰＢ−Ｐａｖを算出する（ステップＳ２４）。
【００５１】
次に、ＣＰＵ４１は、算出された気圧値のずれΔＰが３ｈＰａ以上であるか否かを判別する（ステップＳ２５）。気圧のずれΔＰが３ｈＰａ以上であると判別された場合には、ＣＰＵ４１は、晴れ予報を行って（ステップＳ２６）。天気予報処理を終了する。また、気圧のずれΔＰが３ｈＰａ以上ではないと判別された場合には、次に、ＣＰＵ４１は、気圧のずれΔＰが０ｈＰａ以上であるか否かを判別する（ステップＳ２７）。気圧のずれΔＰが０ｈＰａ以上であると判別された場合には、ＣＰＵ４１は、晴れ曇り予報を行って（ステップＳ２８）、天気予報処理を終了する。また、気圧のずれΔＰが０ｈＰａ以上ではないと判別された場合には、更に、ＣＰＵ４１は、気圧のずれΔＰが−３ｈＰａ以上であるか否かを判別する（ステップＳ２９）。気圧のずれΔＰが−３ｈＰａ以上であると判別された場合には、ＣＰＵ４１は、雨曇り予報を行って（ステップＳ３０）、天気予報処理を終了する。一方、気圧のずれΔＰが−３ｈＰａ以上ではないと判別された場合には、ＣＰＵ４１は雨予報を行って（ステップＳ３１）、天気予報処理を終了する。
【００５２】
ここで、ステップＳ２６、Ｓ２８、Ｓ３０、Ｓ３１で行われた天気予報は、自動的に表示画面４６ａの第２表示部４６２に表示させることとしても良いし、ＲＡＭ４３に記憶のみを行わせて、ユーザの指示に基づいて要求されたときに読み出して表示させることとしても良い。また、自動的に天気予報を第２表示部４６２に表示させる場合には、振動モータ５０、ＬＥＤ５２、又は、ピエゾ素子５４などを用いてユーザに報知することとしても良い。
【００５３】
［変形例］
上記実施の形態では、計算の簡略化のため、求められた気圧補正値Ｙを単純に気圧計測値ＰＡに加算することで補正気圧値ＰＢを求めたが、この気圧補正値Ｙは、海水面高度での気圧が１０１３．３ｈＰａのときの気圧変化率に基づくものである。従って、海水面高度での気圧がこの気圧と異なる場合には、気圧変化率も変化する。式（１）に示されているように、同一の高度ｚにおいて、海水面高度での大気圧が１０１３．３ｈＰａ＝Ｐ０の場合に取得される大気圧Ｐ０−Ｙと、海水面高度での大気圧がこの標準大気圧Ｐ０と異なる気圧値（補正気圧値）ＰＢの場合に取得される大気圧、即ち、気圧計測値ＰＡとの比は、海水面高度における大気圧Ｐ０とＰＢの比に等しくなる。従って、補正気圧値ＰＢは、以下の式（４）によって求めることが出来る。
ＰＢ＝Ｐ０／（Ｐ０−Ｙ）×ＰＡ  …（４）
従って、図８の天気予報処理でステップＳ２１における補正気圧値ＰＢの算出時に式（４）を適用することが出来る。
【００５４】
［第２実施形態］
次に、第２実施形態の気圧測定装置について説明する。この第２実施形態の気圧測定装置の構成は、表示部４６の表示画面４６ａがドットマトリックス式の液晶表示部である点を除いて全て同一であり、同一の符号を用いることとして説明を省略する。
【００５５】
第２実施例の気圧測定装置としての電子時計４０では、上記の天気予報処理に係る天気予報表示を第２表示部４６２にドットマトリックス式の液晶表示を行う加え、算出された補正気圧値ＰＢのグラフを表示させることが出来る。
【００５６】
図９には、ＣＰＵ４１が実行する気圧変化表示処理の制御手順を示すフローチャートである。
【００５７】
この図９に示した気圧測定処理は、図８に示した天気予報処理の制御手順とステップＳ１１〜Ｓ２０までの各処理、及び、ステップＳ２２について同一であり、同一の符号を付して説明を省略する。また、ステップＳ２１ａの処理では、第１実施形態のステップＳ２１の処理、又は、変形例１のステップＳ２１の処理の何れかを適用することが出来る。
【００５８】
ステップＳ２２の処理が終了すると、ＣＰＵ４１は、気圧履歴記憶部４３１に記憶させた２４時間分の補正気圧値ＰＢの変化を第２表示部４６２にグラフ表示させる（ステップＳ４１）。このとき、グラフの縦方向の幅は、１０１３．３ｈＰａを中心として固定に設定しても良いし、２４時間分の補正気圧値ＰＢの最大値及び最小値に基づいて可変に設定しても良い。ステップＳ４１の処理が終了すると、ＣＰＵ４１は、気圧履歴表示処理を終了する。
【００５９】
以上のように、上記第１実施形態および第２実施形態の気圧測定装置としての電子時計４０によれば、圧力センサ５６とBluetoothモジュール４８とを備え、毎正時に圧力センサ５６を用いて気圧データを取得すると共に、Bluetoothモジュール４８を介してスマートフォン１０と通信を行ってスマートフォン１０のＧＰＳデータ受信処理部２６により取得される現在地点の高度データを取得し、この高度データに基づいて気圧計測値を海水面高度での気圧に補正するので、高度変化を伴う移動中であっても、容易且つ正確に高度変化を考慮した気圧の時間変化を知得することが出来る。
【００６０】
また、気圧の時間変化だけを取得することによって、より正確に天気予報を行うことが出来る。
【００６１】
また、この気圧の時間変化をグラフ表示させることで、ユーザが容易に天気の変化に伴う気圧の変化を知得することが出来る。
【００６２】
また、高度データをスマートフォン１０からBluetooth通信を用いて取得するので、ユーザが手動でスマートフォン１０などの外部機器で取得された高度データを入力する手間を省くことが出来、容易に正確な高度データを利用して気圧の時間変化を取得することが出来る。
【００６３】
また、高度データをスマートフォン１０から取得するので、電子時計４０自体でＧＰＳ測位を行う場合と比較して、スマートフォン１０に搭載の機能を生かすことで電子時計４０のサイズ、重量、及び、電力消費量の増加を抑えることが出来る。
【００６４】
また、特に、海水面高度の気圧に補正した気圧を算出して表示させるので、ユーザが容易に気圧の値に基づく天気状況を推測することが出来る。
【００６５】
また、気圧の補正を行う際に国際標準大気モデルを用いて補正するので、海水面高度での気圧と、スマートフォン１０から取得された高度データに示された高度値における気圧との関係だけで簡単な計算により気圧の補正を行うことが出来る。
【００６６】
また、２００ｍ間隔で国際標準大気モデルによるモデル大気圧を記憶させたモデル大気圧テーブル４２３、又は、気圧補正プログラム４２１内に同等な情報を有しているので、線形補間により、単純な計算で気圧計測値を補正することができる。
【００６７】
また、毎正時に一時間おきに気圧を計測し、また、補正気圧データを取得しているので、むらのない補正気圧データに基づいてより精度の高い天気予報をユーザに提供することが出来る。特に、当該むらのない補正気圧データの平均値からの直近の補正気圧のずれに基づいて天気予報を行っているので、特定の期間に偏った気圧データに基づく天気予報にはならない。
【００６８】
また、直近の２４時間分の補正気圧データを気圧履歴記憶部４３１に記憶させておくことで、天気予報に必要な補正気圧データを確保すると共に、第２表示部４６２に表示させる補正気圧のグラフを見やすく適切に表示させることが出来る。
【００６９】
また、２４時間分の補正気圧値の平均値からの直近の補正気圧値のずれに基づいて天気予報を行うので、補正気圧データを用いることで気圧変化の傾向をより的確に取得して天気予報の精度を向上させることが出来る。
【００７０】
なお、本発明は、上記実施の形態に限られるものではなく、様々な変更が可能である。
例えば、上記実施の形態では、１時間おきに気圧データを取得したが、１時間間隔には限られない。例えば、３０分おきでも良いし、状況に応じて不定期に取得することとしても良い。また、不定期に取得する場合には、天気予報に用いる際に重み付の平均を行ったり、気圧の平均値を求めるデータを、例えば、正時のものに限ることなどで間引いたりすることとしても良い。
【００７１】
また、上記実施の形態では、海水面高度での気圧に大気圧の補正を行ったが、例えば、ユーザの居住地の海抜における大気圧に統一して補正を行うなど、補正高度を任意に設定することが出来る。この場合には、当該高度への補正係数を予め算出してＲＡＭ４３に記憶させておくことで容易に設定された高度での補正大気圧を求め、表示させることが出来る。
【００７２】
また、上記実施の形態では、国際標準大気をモデル大気圧として用いたが、これに限られない。例えば、ＩＣＡＯ（国際民間航空機関）のモデル大気圧を用いても良いし、或いは、独自に、台風のときの高度分布に補正を加えたり、夏と冬とで温度設定を異ならせたりすることとしても良い。
【００７３】
また、上記実施の形態では、モデル大気圧テーブル４２３に各区間の大気圧ＰＬ及び気圧変化率ｄＰを記憶させることとしたが、大気圧ＰＬの代わりに当該高度ＨＬにおける大気圧の標準海面大気圧Ｐ０とのずれの値Ｐ０−ＰＬを保持させることとしても良い。
【００７４】
また、上記実施形態ではBluetooth通信を用いたが、通信手段としてはこれに限られない。例えば、赤外線通信や、ＺＩＧＢＥＥ（登録商標）、ＵＷＢ（Ultra Wide Band）などの他の近距離無線通信手段を用いることとしても良い。
【００７５】
また、ＧＰＳ測位装置としてスマートフォン１０を挙げたが、携帯電話など他の携帯型電子装置を用いることとしても良い。また、気圧測定装置として電子時計４０を挙げたが、歩数計や血圧計であっても良い。また、本発明の気圧測定装置は、電子時計４０としての腕時計のほか、首から下げられる時計、衣服にクリップ留め可能な時計、及び、自転車やバイクのハンドルに一時的に固定可能な時計など、携帯可能であり、且つ、容易に視認可能な各種時計にも適用できる。
【００７６】
また、気圧履歴記憶部４３１に補正気圧データを記憶させる期間、天気予報に用いる期間、及び、グラフ表示させる期間は、適宜変更可能である。また、ユーザによる操作部４４への操作により任意に切り替え可能としても良い。
【００７７】
また、天気予報を行う方法は、上記第１実施形態の方法に限られない。例えば、直前２４時間の気圧変化の傾向や、補正気圧値ＰＢの絶対値に基づく基準の導入など、他の基準や複数の基準に基づいて予報を行っても良い。
その他、上記実施の形態で示した具体的な細部の構成や数値、処理の順番などは、本発明の趣旨を逸脱しない範囲において適宜変更可能である。
【００７８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７９】
［付記］
＜請求項１＞
間欠的に気圧を測定する気圧測定手段と、
前記気圧の測定位置における高度データをＧＰＳ測位装置から受信する受信手段と、
前記気圧測定手段により測定された気圧の値を、前記受信手段で受信された高度データに基づいて所定の高度における気圧の値に補正した補正気圧データを取得する補正手段と
を備えることを特徴とする気圧測定装置。
＜請求項２＞
前記補正手段により取得された補正気圧データを複数記憶する記憶手段と、
この記憶手段に記憶された補正気圧データに基づいて天気予報を行う天気予報手段と、
この天気予報手段による天気予報を表示する表示手段と
を備えることを特徴とする請求項１に記載の気圧測定装置。
＜請求項３＞
前記補正手段により取得された補正気圧データを複数記憶する記憶手段と、
この記憶手段に記憶された補正気圧データの全部又は一部をグラフ表示する表示手段と
を備えることを特徴とする請求項１又は２に記載の気圧測定装置。
＜請求項４＞
前記補正手段は、海水面高度における補正気圧データを取得する
ことを特徴とする請求項１〜３の何れか一項に記載の気圧測定装置。
＜請求項５＞
前記補正手段は、所定のモデルに基づいて前記受信手段により受信された高度データが示す高度におけるモデル大気圧を算出し、当該モデルに基づく当該高度の大気圧及び海水面大気圧と、前記気圧測定手段により測定された気圧の値とに基づいて補正気圧データを取得する
ことを特徴とする請求項１〜４の何れか一項に記載の気圧測定装置。
＜請求項６＞
前記所定のモデルに基づき所定の高度間隔で求められたモデル大気圧が記憶された補正テーブルを備え、
前記補正手段は、前記受信手段により受信された高度データが示す高度におけるモデル大気圧を、前記補正テーブルに記憶された隣接する２つの高度におけるモデル大気圧を用いた線形補間により算出する
ことを特徴とする請求項５に記載の気圧測定装置。
＜請求項７＞
前記気圧測定手段は、毎正時に気圧データを取得する
ことを特徴とする請求項１〜６の何れか一項に記載の気圧測定装置。
＜請求項８＞
前記記憶手段は、現在時刻の所定時間前までに計測された気圧に基づく補正気圧データを記憶する
ことを特徴とする請求項２に記載の気圧測定装置。
＜請求項９＞
前記天気予報手段は、直近に取得された補正気圧データに係る大気圧と、前記記憶手段に記憶された全ての補正気圧データに係る大気圧の平均値とのずれに基づいて天気の回復傾向又は悪化傾向を判断する
ことを特徴とする請求項２又は８に記載の気圧測定装置。
【符号の説明】
【００８０】
１     気圧表示システム
１０   スマートフォン
１１   ＣＰＵ
１２   ＲＯＭ
１３   ＲＡＭ
１４   記憶部
１５   操作部
１６   内蔵時計
１７   表示部
１８   ドライバ
１９   スピーカ
２０   マイク
２１   コーデック
２２   ＲＦ送受信回路
２３   通信回路
２４   Bluetoothモジュール
２５   ＵＡＲＴ
２６   ＧＰＳデータ受信処理部
２７   バス
４０   電子時計
４１   ＣＰＵ
４２   ＲＯＭ
４２１ 気圧補正プログラム
４２２ 天気予報プログラム
４２３ モデル大気圧テーブル
４３   ＲＡＭ
４３１ 気圧履歴記憶部
４４   操作部
４５   計時回路
４６   表示部
４６ａ 表示画面
４６１ 第１表示部
４６２ 第２表示部
４７   ドライバ
４８   Bluetoothモジュール
４９   ＵＡＲＴ
５０   振動モータ
５１   ドライバ
５２   ＬＥＤ
５３   ドライバ
５４   ピエゾ素子
５５   ドライバ
５６   圧力センサ
５７   Ａ／Ｄ変換回路
５８   バス
ＡＮ１１、ＡＮ１２、ＡＮ１３、ＡＮ４      アンテナ
【図１】
2013072668.tif 000003
【図２】
2013072668.tif 000004
【図３】
2013072668.tif 000005
【図４】
2013072668.tif 000006
【図５】
2013072668.tif 000007
【図６】
2013072668.tif 000008
【図７】
2013072668.tif 000009
【図８】
2013072668.tif 000010
【図９】
2013072668.tif 000011